(57)【要約】      （修正有）【課題】上面視において、リング状の開口が形成された島式のオープンショーケースの開口を塞ぐことができるオープンショーケース用のカバー装置を提供する。【解決手段】上面が開口した有底の収容箱（収容庫２）と、収容庫２内に設置されると共に陳列棚３２が設けられた外周部が開口した陳列部３と、を備え、上面視において陳列部３の外周と収容庫２の内周との間が開口部５とされたオープンショーケース用のカバー装置であって、収容庫２の内周から陳列部３の外周に向けて開口部５を横切る方向に移動可能とされたカーテン６１を備え、上面視におけるカーテン６１の収容庫２の内周側の幅を、陳列部３の外周側の幅よりも幅広にする構成とした。【選択図】図１
0003196859.tif 000002
【実用新案登録請求の範囲】
【請求項１】
上面が開口した有底の収容箱と、当該収容箱内に設置されると共に陳列棚が設けられた外周部が開口した陳列部と、を備え、上面視において当該陳列部の外周と前記収容箱の内周との間が開口部とされたオープンショーケース用のカバー装置であって、
前記収容箱の内周から前記陳列部の外周に向けて前記開口部を横切る方向に移動可能とされたカーテンを備え、
上面視における前記カーテンの前記収容箱の内周側の幅を、前記陳列部の外周側の幅よりも幅広にしたことを特徴とするオープンショーケース用のカバー装置。
【請求項２】
前記カーテンは、前記開口部を上方に横切る方向に移動可能に設けられていることを特徴とする請求項１に記載のオープンショーケース用のカバー装置。
【請求項３】
前記開口部の下方には、前記収容庫の内周の周方向に沿って、冷気を吸引するための冷気吸引部が設けられており、
前記カーテンは、前記冷気吸引部に固定されていることを特徴とする請求項１または請求項２に記載のオープンショーケース用のカバー装置。
【請求項４】
前記陳列棚に陳列される商品の商品情報を掲示するためのスタンド装置が、前記冷気吸引部に固定され、
前記カーテンの一端は前記スタンド装置に取り付けられると共に、他端は、前記開口部の上方を横切って移動可能に設けられていることを特徴とする請求項３に記載のオープンショーケース用のカバー装置。
【請求項５】
前記スタンド装置は、巻き取られた前記カーテンを収容可能な収容部を有しており、前記スタンド装置は、前記収容部を、前記冷気吸引部の吸引口よりも外側に配置させた状態で、前記冷気吸引部に固定されていることを特徴とする請求項４に記載のオープンショーケース用のカバー装置。
【請求項６】
前記カーテンに、当該カーテンを厚み方向に貫通する複数の貫通孔を設けたことを特徴とする請求項１から請求項５の何れか一項に記載のオープンショーケース用のカバー装置。
【考案の詳細な説明】
【技術分野】
【０００１】
本発明は、オープンショーケース用のカバー装置に関するものである。
【背景技術】
【０００２】
商品を冷蔵または冷凍状態で陳列するオープンショーケースには、商品を取り出す為の開口が設けられているものがあり、例えば、特許文献１には、前面に開口部が設けられたオープンショーケースに可動式のカーテンを設けて、商品の出し入れが行われない夜間などに矩形形状のカーテンで開口を塞ぐことで、オープンショーケースの開口部から漏出する冷気の量を抑えることが開示されている。
【先行技術文献】
【特許文献】
【０００３】
【特許文献１】実開平０２−６４８８３号公報
【０００４】
この種のオープンショーケースには、上面が開口した有底筒状の収容庫と、この収容庫の中央部に設置されると共に、外周が周方向の全周に亘って陳列棚とされた陳列部と、を有する島式のオープンショーケースがある。
この島式のオープンショーケースでは、商品の陳列棚からの取り出しを容易にするために、陳列部の外周が周方向の全周に亘って開口しており、陳列部の外周の開口と、収容庫の上面の開口から、冷気が外部に漏出してしまう。
【考案の概要】
【考案が解決しようとする課題】
【０００５】
ここで、島式のオープンショーケースを上方から見ると、冷気が漏出する開口は、陳列棚の外周を全周に亘って囲むリング状を成しており、上面視における陳列部の外周の全長は、上面視における収容庫の開口の内周の全長よりも短いため、従来の矩形形状のカーテンでは、島式のオープンショーケースの開口を完全に塞ぐことはできなかった。
【０００６】
そこで、上面視において、リング状の開口が形成された島式のオープンショーケースの開口を塞ぐことができるようにすることが求められている。
【課題を解決するための手段】
【０００７】
本考案は、上面が開口した有底の収容箱と、当該収容箱内に設置されると共に陳列棚が設けられた外周部が開口した陳列部と、を備え、上面視において当該陳列部の外周と収容部の内周との間が開口部とされたオープンショーケース用のカバー装置であって、収容箱の内周から陳列部の外周に向けて開口部を横切る方向に移動可能とされたカーテンを備え、上面視におけるカーテンの収容箱の内周側の幅を、陳列部の外周側の幅よりも幅広にしたことを特徴とするオープンショーケース用のカバー装置とした。
【考案の効果】
【０００８】
本考案によれば、上面視において、リング状の開口が形成された島式のオープンショーケースの開口を塞ぐことができる。
【図面の簡単な説明】
【０００９】
【図１】実施の形態にかかるオープンショーケース用のカバー装置の使用状態を説明する図である。
【図２】実施の形態にかかるオープンショーケース用のカバー装置を説明する図である。
【図３】実施の形態にかかるオープンショーケース用のカバー装置の断面図である。
【図４】実施の形態にかかるオープンショーケース用のカバー装置の背面から見た斜視図である。
【図５】実施の形態にかかるＰＯＰスタンドの取り付け方法を説明する斜視図である。
【考案を実施するための形態】
【００１０】
以下、本発明の実施の形態を説明する。
図１は、オープンショーケース用のカバー装置６の使用状態を説明する図であり、（ａ）はオープンショーケース１の斜視図であり、上方に引き出されたカバー装置６のカーテン６１により、オープンショーケース１の開口部５が塞がれた状態を示し、（ｂ）は、（ａ）におけるオープンショーケース１の平面図を模式的に表した図である。
図２は、オープンショーケース用のカバー装置６を説明する図であり、（ａ）は、オープンショーケース用のカバー装置６の正面図であり、カーテン６１が上方に引き出された状態を示し、（ｂ）は、（ａ）におけるＡ−Ａ断面図を拡大して示した図である。
【００１１】
図１の（ａ）に示すように、オープンショーケース１は、角錐台の基本形状を成しており、前面、両側面及び背面の４面が開放された島式（ラウンド式）のオープンショーケースである。
【００１２】
オープンショーケース１は、上面が開口した有底の収容庫２と、収容庫２内に配置された陳列部３と、陳列部３の上部に固定された天板部４と、を備えている。
【００１３】
収容庫２は、直線状を成す周壁部２２１の端部同士を互いに接続して構成された矩形形状の周壁２２を有しており、この周壁２２の内側が、商品などが載置される載置面２１となっている。
周壁２２は、載置面２１の周縁部から天板部４側の上方に延出して設けられており、この周壁２２の内側に滞留させた冷気により、載置面２１に載置された商品などを冷凍または冷蔵するようになっている。
【００１４】
周壁２２を構成する各周壁部２２１の内周には、冷気を吸引する冷気吸引部２３が取り付けられている（図１の（ｂ）参照）。冷気吸引部２３は、金属板のプレス成形などにより形成された吸引パネル２３１を有しており、この吸引パネル２３１の内側に、図示しない冷気の吸引ファンが設けられている。
【００１５】
吸引パネル２３１の上面には、冷気を通過可能な大きさの吸引口２３１ａが開口しており、吸引口２３１ａは、吸引パネル２３１の長手方向に所定間隔で複数設けられている。
【００１６】
図１の（ａ）に示すように、収容庫２のほぼ中央には、陳列部３が配置されている。
陳列部３は、四角柱形状の支柱３１と、この支柱３１の外周に取り付けられた陳列棚３２と、から構成される。
【００１７】
陳列棚３２は、支柱３１の高さ方向に間隔を開けて複数（実施の形態では３つ）設けられており、各陳列棚３２は、支柱３１の外周を全周に亘って囲んで設けられている。
陳列棚３２の外周は、周方向の全周に亘って開口しており、陳列棚３２に陳列された商品などの取り出しを、この開口を介して行えるようになっている。
【００１８】
実施の形態では、平面視における各陳列棚３２の幅は、収容庫２側よりも天板部４側に位置する陳列棚３２のほうが狭くなるように設定されている。
【００１９】
天板部４は、平面視において矩形形状を成しており、この天板部４の幅Ｗ２は、収容庫２の幅Ｗ１よりも狭い幅で形成されている（図２の（ｂ）参照）。
そのため、平面視において天板部４の外周と収容庫２の内周との間が、リング状の開口部５となっている。
【００２０】
天板部４の収容庫２側の下面４２には、図示しない冷気供給源（冷蔵・冷凍装置）から供給された冷気を吹き出す吹出穴４４が開口している（図１の（ｂ）、図３の（ｃ）参照）。
吹出穴４４は、天板部４の側面４３に沿って直線状に設けられており、各吹出穴４４から吹き出した冷気が、天板部４の下方に位置する収容庫２の冷気吸引部２３に向けて吹き出されることで、開口部５を覆うエアカーテンが形成されるようになっている（図３の（ｃ）矢印Ａ参照）。
【００２１】
ここで、実施の形態にかかるオープンショーケース１では、開口部５を側方から見ると、当該開口部５の下側（収容庫２側）の幅Ｗ１が、開口部５の上側（天板部４側）の幅Ｗ２よりも広くなっており、側方から見て開口部５は、台形形状を成している。
実施の形態にかかるオープンショーケース１には、開口部５を覆って、開口部５からの冷気の漏出を阻止するためのカバー装置６が設けられている。
【００２２】
図２および図３に示すように、オープンショーケース用のカバー装置６は、カーテン６１と、カーテン６１の上端に設けられたカーテンエッジ１０ｂと、下端に設けられたカーテンエッジ１０ａと、カーテンエッジ１０ｂに取り付けられた係止具８と、から構成されており、このカバー装置６は、後記するＰＯＰスタンド１００（図４参照）を介して、収容庫２の周壁２２に付設した冷気吸引部２３に取り付けられている。
【００２３】
カーテン６１は、長手方向の途中位置で折り返した一枚の帯状の樹脂シートを、折り返し部６１ｃを起点として巻いた基本形状を有している（図２の（ｂ）参照）。
カーテン６１を構成する樹脂シートは、可撓性と弾性と耐湿性とを備える樹脂材料から構成されており、実施の形態では、ポリエステルからなる樹脂シートが、カーテン６１を構成する材料として採用されている。
【００２４】
図２の（ｂ）に示すように、カーテン６１は、一枚の樹脂シートを折り返して重ねたのち、折り返し部６１ｃを起点として巻き、その状態で熱をかけることで、巻いた状態の基本形状で保持されるようにして形成されている。
基本形状を成すカーテン６１では、折り返し部６１ｃが中心に位置する巻き付き部６１ｄから、樹脂シートの長手方向の一端部６１ａと他端部６１ｂが延びており、一端部６１ａと他端部６１ｂを互いに離れる方向に引っ張ると、巻き付き部６１ｄから、樹脂シートが順次引き出されて、カーテン６１が伸長するようになっている。
【００２５】
この際に、折り返し部６１ｃを境としてカーテン６１の一端部６１ａ側（以下、下側部６１１）と他端部６１ｂ側（以下、上側部６１２）が、巻き付き部６１ｄから同じ長さづつ引き出されることで、カーテン６１の巻き付き部６１ｄがカーテン６１の長手方向の中央に常に位置した状態で、カーテン６１が伸長するようになっている。
【００２６】
図２の（ａ）に示すように、カーテン６１の下側部６１１の幅Ｗ３は、カーテン６１の上側部６１２の幅Ｗ４よりも幅広に形成されており、オープンショーケース１においてカバー装置６は、カーテン６１の下側部６１１を収容庫２側の下側に、上側部６１２を天板部４側の上側に向けて設けられている。
カーテン６１の下側部６１１の幅Ｗ３は、開口部５の収容庫２側の幅Ｗ１（図１の（ｂ）参照）とほぼ同じ幅に設定されており、カーテン６１の上側部６１２の幅Ｗ４は、開口部５の天板部４側の幅Ｗ２（図１の（ｂ）参照）とほぼ同じ幅に設定されている。
【００２７】
また、図２の（ａ）に示す使用状態のときのカーテン６１の長さＬ１は、開口部５の高さ方向の開口長（開口の高さ方向の幅）Ｗ５（図１の（ａ）参照）に整合する長さに設定されている。
【００２８】
ここで、従来のオープンショーケース用のカーテンは、側方から見て矩形形状（カーテンの上側部と下側部の幅が同じ）に成形されており、このような形状の従来のカーテンでは、側方から見て台形形状となるオープンショーケースの開口部の全面を覆うことはできない。
上記した本願発明のオープンショーケース用のカバー装置６のカーテン６１は、側方から見た開口部５の形状に整合する台形形状を成しており、カーテン６１をオープンショーケース用のカバー装置６から引き出して伸長させた際に、引き出されたカーテン６１により、オープンショーケース１の開口部５のほぼ全面が確実に塞がれるようになっている。
さらに、カーテン６１が台形形状を成していることで、収容庫２の角部に位置する開口部５を略隙間無く覆うことができるようになっている。
【００２９】
カーテン６１は、熱処理により、巻いた状態の基本形状となるように巻き癖が付けられているので、伸長させた状態のカーテン６１には、巻いた状態の基本形状に戻ろうとする復元力が作用している。
そのため、カーテン６１の一端部６１ａと他端部６１ｂを互いに離れる方向に引っ張る力が作用しなくなると、カーテン６１の下側部６１１と上側部６１２が、復元力により、巻き付き部６１ｄ内に順次引き込まれて、カーテン６１が巻き付き方向（長手方向）に縮まるようになっている。
【００３０】
図２の（ａ）に示すように、カーテン６１の表面には、当該カーテン６１を厚み方向に貫通する複数の通孔６１ｅが設けられている。
実施の形態では、カーテン６１の伸長方向（高さ方向）における通孔６１ｅの間隔Ｗａ、Ｗｂが、下側部６１１の方が上側部６１２よりも大きくなるように設定されている。
よって、カーテン６１の下側部６１１の通孔６１ｅを通って外部に漏出する冷気の量が、上側部６１２の通孔６１ｅを通って外部に漏出する冷気の量よりも少なくなるようになっており、通孔６１ｅを介した通気によってカーテン６１の表面の結露を防止しつつ、カーテン６１の下側部６１１に滞留した冷気の外部への漏出を少なくすることができる。
【００３１】
図２の（ｂ）に示すように、カーテン６１の一端部６１ａと他端部６１ｂには、幅方向の全長に亘って芯板９ａ、９ｂが取り付けられており、芯板９ａ、９ｂには、カーテンエッジ１０ａ、１０ｂが係合して設けられている。
【００３２】
カーテンエッジ１０ａと１０ｂとは、カーテン６１に設けられている位置が異なるのみで、その他は同一の構成を有している。よって、以下においては、カーテン６１の他端部６１ｂ側に設けられるカーテンエッジ１０ｂの構成について説明し、一端部６１ａ側に設けられるカーテンエッジ１０ａの構成については、必要に応じて適宜説明する。
【００３３】
カーテンエッジ１０ｂは、カーテン６１の上端部に取り付けられた矩形形状の部材であり、カーテン６１の幅方向の全長に亘って設けられている。
【００３４】
図２の（ｂ）に示すように、断面視においてカーテンエッジ１０ｂは、厚み方向に間隔を開けて設けられた係合部１０ｃ、１０ｃを有しており、係合部１０ｃ、１０ｃの先端部には、互いに対向する方向に突出する突出部１０ｄ、１０ｄが設けられている。突出部１０ｄ、１０ｄは、カーテン６１の他端部６１ｂ側のみを挿通可能な隙間を空けて対向している。
よって、カーテン６１の他端部６１ｂの厚みよりも厚く形成された芯板９ｂは、突出部１０ｄ、１０ｄから抜け止めされている。
【００３５】
図２の（ａ）に示すように、カーテンエッジ１０ｂの幅方向における中央部には、取付具８ａを介して、係止具８が取り付けられている。
この係止具８は、カーテン６１を上方に引き出した際に、オープンショーケース１の天板部４の側面４３に設けられたフック部４５と係合させることで、カーテン６１を伸長した状態で保持できるようにするために設けられている（図３の（ｃ）参照）。
【００３６】
次に、カバー装置６を収容庫２の周壁２２に付設した冷気吸引部２３に取り付けるＰＯＰスタンド１００を説明する。
【００３７】
図３は、オープンショーケース用のカバー装置６のＰＯＰスタンド１００への取付け状態を説明する図であり、（ａ）は、図１における面Ａでオープンショーケース１を切断した断面図であり、ＰＯＰスタンド１００の収容部１０２ｄにカーテン６１が収容されている状態を示し、（ｂ）は、（ａ）におけるＰＯＰスタンド１００に取り付けられるカーテンエッジ１０ａの周辺を拡大して示した断面図であり、（ｃ）は、オープンショーケース１の断面図を模式的に表した図であり、上方に引き出されたカーテン６１の係止具８を天板部４のフック部４５に係止した状態を示している。
図４は、ＰＯＰスタンド１００を介して冷気吸引部２３に取り付けられたカバー装置６を、陳列部３側から見た斜視図である。
【００３８】
図３の（ａ）に示すように、ＰＯＰスタンド１００は、スイングライナー１２０を、収容庫２の周壁２２に付設した冷気吸引部２３に取り付けるための固定部材１０２を有している。
固定部材１０２は、一枚の金属板を折り曲げて形成されており、長手方向の一端が、冷気吸引部２３との連結部１０２ｂ、他端が、カバー装置６の取付部１０２ａとなっている。
図３の（ｂ）に示すように、取付部１０２ａには、取付部１０２ａを厚み方向に貫通するボルト穴１０２ａ１が設けられており、ボルト穴１０２ａ１の内周面には雌ネジ（図示せず）が形成されている。そして、超低頭ボルトＢの雄ネジ（図示せず）が、ボルト穴１０２ａ１の雌ネジに螺合されるようになっている。
固定部材１０２は、連結部１０２ｂ側の屈曲部１０２ｃを境にして取付部１０２ａ側が、前記した天板部４側の上方に延びており、この屈曲部１０２ｃと取付部１０２ａとの間に、カーテン６１の巻き付き部６１ｄを収容する収容部１０２ｄが設けられている。
【００３９】
図３の（ａ）及び（ｂ）に示すように、スイングライナー１２０は、ＰＯＰ広告が差し込まれるＰＯＰ差込部１２１と、ＰＯＰ差込部１２１を固定部材１０２の取付部１０２ａに取り付けるためのクリップ部１２２と、を有している。
ＰＯＰ差込部１２１は、一枚の透明な樹脂シートを折り曲げて形成されており、断面視においてＵ字形状を成している。このＰＯＰ差込部１２１では、互いに平行な平面部１２１ａ、１２１ａの間の間隙１２１ｂに、陳列される商品の商品名や商品価格を表示した広告用紙（ＰＯＰ広告）が差し込まれるようになっている（図３の（ｂ）参照）。
【００４０】
クリップ部１２２は、ＰＯＰ差込部１２１の一方の平面部１２１ａと一体に形成されている。クリップ部１２２は、カバー装置６のカーテンエッジ１０ａと、固定部材１０２と、超低頭ボルトＢとを把持する一対のクリップ片１２２ａ、１２２ａを有している。クリップ部１２２は、カーテンエッジ１０ａを貫通させた超低頭ボルトＢを、固定部材１０２の取付部１０２ａに設けられるボルト穴１０２ａ１に螺合させて、カーテンエッジ１０ａを取付部１０２ａに固定したのち、クリップ片１２２ａ、１２２ａの間にカーテンエッジ１０ａと、固定部材１０２と、超低頭ボルトＢとを把持した状態で取り付けられる。
【００４１】
ここで、超低頭ボルトＢで、カーテンエッジ１０ａを固定部材１０２の取付部１０２ａに固定した際、超低頭ボルトＢの取付部１０２ａ側の端部が、取付部１０２ａの厚みを超えてボルト穴１０２ａ１からクリップ片１２２ａ方向へ突出すると、取付部１０２ａ側を把持しているクリップ片１２２ａが、超低頭ボルトＢの端部に押されて、取付部１０２ａから離れる方向に変位してしまう。そうすると、クリップ片１２２ａによるカーテンエッジ１０ａの把持力が弱まってしまう虞がある。
実施の形態では、超低頭ボルトＢで、カーテンエッジ１０ａを固定部材１０２の取付部１０２ａに固定した際、超低頭ボルトＢの取付部１０２ａ側の端部が、取付部１０２ａの厚みを超えてボルト穴１０２ａ１から飛び出さないように、超低頭ボルトＢの長さが設定されている。
これにより、超低頭ボルトＢ端部のクリップ片１２２ａとの干渉を避けることができ、クリップ片１２２ａに、超低頭ボルトＢとの干渉を避けるための切欠き加工などの追加工を行うことなく、クリップ部１２２でカーテンエッジ１０ａと、固定部材１０２と、超低頭ボルトＢとを確実に把持できる。
【００４２】
図３の（ａ）に示すように、取付部１０２ａの下側に位置する収容部１０２ｄは、周壁２２の内周２２ａよりも外側に膨出して形成されており、断面視において略コ字形状を成している。
この収容部１０２ｄは、巻き取られたカーテン６１の巻き付き部６１ｄを収容可能な大きさで形成されており、収容した巻き付き部６１ｄを、冷気吸引部２３の上部に開口する吸引口２３１ａよりも外側に位置させている。
そのため、冷気の吸入口となる吸引口２３１ａの上側に、巻き取られた巻き付き部６１ｄが位置していないので、天板部４の吹出穴４４から吹き出した冷気の冷気吸引部２３側への移動が阻害されないようになっている。
【００４３】
次に、ＰＯＰスタンド１００の吸引パネル２３１への取り付け方法を説明する。
図５は、ＰＯＰスタンド１００の吸引パネル２３１への取り付け方法を説明する図であり、（ａ）は、ＰＯＰスタンド１００の固定部材１０２を吸引パネル２３１に取り付ける前の状態であり、（ｂ）は、固定板１０３を吸引パネル２３１の吸引口２３１ａに挿通させた状態であり、（ｃ）は、ネジ１１０を所定の方向に回して固定板１０３を吸引パネル２３１に係合させた状態である。
【００４４】
図５の（ａ）に示すように、固定部材１０２の連結部１０２ｂには、当該連結部１０２ｂを厚み方向に貫通する長楕円形状の長穴１０２ｅが形成されている。
この長穴１０２ｅには、上方からネジ１１０が挿通されており、ネジ１１０の先端側には、固定板１０３が螺合している。
【００４５】
固定板１０３は、平面視において長方形形状を成す板状の部材であり、固定板１０３の幅Ｗ６は、冷気吸引部２３の吸引口２３１ａの幅Ｗ７よりも僅かに狭い幅に設定されている。
そのため、固定板１０３の長手方向を、吸引口２３１ａの長手方向に合わせた向きに配置すると、固定板１０３を、吸引口２３１ａを通過させて、吸引パネル２３１の下方に位置させることができるようになっている。
さらに、固定板１０３を吸引パネル２３１の下方に位置させた状態で、固定板１０３を回転させて、固定板１０３の長手方向を吸引口２３１ａの長手方向に対して所定の角度傾けると、固定板１０３の吸引口２３１ａの通過が阻止されるようになっている。
【００４６】
ネジ１１０の先端側に固定板１０３が螺合されている状態において、固定部材１０２の連結部１０２ｂと固定板１０３との間に形成される隙間ｓ１は、冷気吸引部２３の吸引パネル２３１の板厚ｔ１よりも大きく設定されている。
よって、固定板１０３を吸引口２３１ａに挿通させた際に、連結部１０２ｂと固定板１０３との隙間ｓ１に、吸引パネル２３１が位置するようになっている。
【００４７】
そのため、図５の（ａ）に示すように、固定板１０３と吸引口２３１ａの向きを揃えて、固定板１０３を通過させたのち、固定板１０３の向きを吸引口２３１ａからの脱落ができない角度位置に変化させ（図５の（ｂ）参照）、連結部１０２ｂと固定板１０３との間の隙間ｓ１を狭める方向にネジ１１０を回すと、連結部１０２ｂと固定板１０３との間に吸引パネル２３１が把持されて（図５の（ｃ）参照）、吸引パネル２３１に対する固定部材１０２の取り付けが完了するようになっている。
【００４８】
以下、実施の形態にかかるオープンショーケース用のカバー装置６の動作を説明する。
商店の閉店後などに、オープンショーケース１の開口部５を、カーテン６１で塞ぐ場合には、カーテン６１の上部に取付けられた係止具８を摘んで持ち上げることで、カーテン６１を伸長させる。
そして、係止具８をオープンショーケース１の開口部５の上部に設けられたフック部４５に引っ掛けることで、カーテン６１が開口部５を塞いだ状態で保持される（図１の（ａ）及び図３の（ｃ）参照）。
【００４９】
ここで、カーテン６１は、開口部５の台形形状に整合する形状に形成されているので、開口部５を完全に塞ぐことができる。
【００５０】
よって、実施の形態にかかるオープンショーケース用のカバー装置６を用いることにより、オープンショーケース１から外部に漏出する冷気の量を抑えることができるので、冷蔵・冷凍時に使用される消費電力を削減することが可能となる。
【００５１】
なお、商店営業時間内には、係止具８をフック部４５から外すことで、カーテン６１は、巻いた状態の基本形状に戻ろうとする復元力により、自動的に巻き取られて、開口部５が開口する。
また商店営業時間内においては、開口部５の開口面に沿うように冷媒（冷気）を流すことで、開口部５の開口面にエアカーテンを形成し、これによりオープンショーケース１内の冷気が開口部５から漏出することを防止している。
【００５２】
以上の通り、実施の形態では、
（１）上面が開口した有底の収容箱（収容庫２）と、当該収容庫２内に設置されると共に陳列棚３２が設けられた外周部が開口した陳列部３と、を備え、上面視において当該陳列部３の外周と収容庫２の内周との間が開口部５とされたオープンショーケース用のカバー装置であって、収容庫２の内周から陳列部３の外周に向けて開口部５を横切る方向に移動可能とされたカーテン６１を備え、上面視におけるカーテン６１の収容庫２の内周側の幅Ｗ３を、陳列部３の外周側の幅Ｗ４よりも幅広にする構成とした。
【００５３】
このように構成すると、上面視におけるカーテン６１の収容庫２の内周側の幅Ｗ３を、陳列部３の外周側の幅Ｗ４よりも幅広にしているので、カーテン６１は、上面視における収容庫２の内周側の幅を陳列部３の外周側の幅よりも幅広に形成された開口部５の全面を確実に塞ぐことができる。
【００５４】
（２）また、カーテン６１は、開口部５を上方に横切る方向に移動可能に設けられている構成とした。
【００５５】
このように構成すると、カーテン６１は、開口部５を上方に横切る方向に移動可能に設けられているので、カーテン６１を開口部５の下方の位置にコンパクトに設けることができる。
【００５６】
（３）また、開口部５の下方には、収容庫２の内周の周方向に沿って、冷気を吸引するための冷気吸引部２３が設けられており、カーテン６１は、冷気吸引部２３に固定されている構成とした。
【００５７】
このように構成すると、カーテン６１を、収容庫２の内周側に設けるようにしたので、例えば、カーテン６１を収容庫２の外周側に設ける場合に比べて、カーテン６１の持ち上げ及び巻き取りを繰り返すことにより、カーテン６１が汚れるのを防止することができる。
【００５８】
（４）また、陳列棚３２に陳列される商品の商品情報を掲示するためのスタンド装置（ＰＯＰスタンド１００）が、冷気吸引部２３に固定され、カーテン６１の一端はＰＯＰスタンド１００に取り付けられると共に、他端は、開口部５の上方を横切って移動可能に設けられている構成とした。
【００５９】
このように構成すると、カーテン６１をＰＯＰスタンド１００に設けるようにしたので、カーテン６１を目立たせずに開口部５の下方に配置することができる。
【００６０】
上記した実施の形態では、カバー装置６は帯状の樹脂シートを、折り返し部６１ｃを起点として巻いた基本形状を有するカーテン６１を例示して説明したが、帯状の樹脂シートを、円筒部材に巻き付けた基本形状を有するカーテンを用いてもよい。
このように構成しても、上記と同様の作用及び効果を奏し得る。
【００６１】
さらに、上記した実施の形態では、カーテン６１は、一枚の帯状の樹脂シートを用いた場合を例示して説明したが、カーテン６１は、帯状の布（例えば、ポリエステル製の糸等を編んだ布）を用いてもよい。
【００６２】
このような布は、表面に形成された複数の孔（網目）によって、布の表面に接する冷蔵庫、又は冷凍庫の内外の空気の温度差を緩和し、カーテンの表面に結露が発生することを防止する。また、仮にカーテンの表面に結露が生じた場合でも、カーテンを貫通する複数の孔（網目）が水分を吸収して、水滴がカーテンの下方に垂れることを防止できる。
【００６３】
（５）また、ＰＯＰスタンド１００の固定部材１０２が、巻き取られたカーテン６１の巻き付き部６１ｄを収容可能な大きさの収容部１０２ｄを有しており、固定部材１０２は、収容部１０２ｄを、冷気吸引部２３の吸引口２３１ａよりも外側に配置させた状態で、冷気吸引部２３に固定されている構成とした。
【００６４】
このように構成すると、冷気の吸入口となる吸引口２３１ａの上側に、巻き取られた巻き付き部６１ｄが位置していないので、天板部４の吹出穴４４から吹き出した冷気の冷気吸引部２３側への移動が阻害されることがない。
【００６５】
また、カバー装置６が、ＰＯＰスタンド１００の固定部材１０２に取り付けられることにより、巻き取られた状態のカーテン６１は、収容庫２の下部でなく、周壁２２の上側に配置されるようになっている。
カーテン６１が収容庫２の下部に配置されている場合には、店舗内の清掃時などにカーテン６１が汚れてしまう虞があるが、周壁２２の上側に配置することで、カーテン６１を収容庫２の下部に配置している場合よりも、カーテン６１が汚れにくくなる。
【００６６】
さらに、スイングライナー１２０のＰＯＰ差込部１２１が、収容部１０２ｄの前面を覆うように位置しているので、ＰＯＰスタンド１００の固定部材１０２に取り付けたカバー装置６が、スイングライナー１２０の裏側に隠れて配置されることになる。
よって、カバー装置６を収容庫２の周壁２２の上側に配置しても、配置したカバー装置６が、オープンショーケース１の見栄えを損なうことや、収容庫２内の商品の視認性を損なうことがない。
【００６７】
（６）また、カーテン６１に、当該カーテン６１を厚み方向に貫通する複数の通孔６１ｅを設け、特に、カーテン６１の下側部６１１の通孔６１ｅの間隔Ｗａが、上側部６１２の通孔６１ｅの間隔Ｗｂよりも大きくする（Ｗａ＞Ｗｂ）構成とした。
【００６８】
このようにすると、カーテン６１に、当該カーテン６１を厚み方向に貫通する通孔６１ｅが設けられているので、カーテン６１の結露の発生を防止することができる。
特に、通孔６１ｅは、カーテン６１の下側部６１１のほうが、上側部６１２よりも少なくなっている。そのため、通孔６１ｅを介してカーテン６１の内側から外側に漏出する冷気の量は、下側部６１１の方が少なくなる。
ここで、空気の比重は、温度が低くなるほど大きくなるので、オープンショーケース１内で冷気は、上部よりも下部に多く滞留する。
よって、実施の形態にかかるオープンショーケース用のカバー装置６を用いることにより、オープンショーケース１から漏出する冷気の量を抑えることができるので、冷蔵・冷凍時に使用される消費電力を削減することが可能となる。
【００６９】
また、実施の形態では、カーテン６１の表面に厚み方向に貫通する複数の通孔６１ｅを設ける場合を例示して説明したが、カーテン６１の表面に通孔６１ｅを設けない構成としてもよい。
このようにすると、オープンショーケース１から外部に漏出する冷気の量をより少なくすることができ、オープンショーケース１の冷蔵・冷凍効率を向上させることができる。また、カーテン６１の表面に通孔６１ｅが設けられない分、カーテン６１の製造コストを抑えることができると共に、カーテン６１の耐久性を向上させることができる。
【００７０】
また、実施の形態では、カーテン６１の伸長方向における下側部６１１の通孔６１ｅの間隔Ｗａが、上側部６１２の通孔６１ｅの間隔Ｗｂよりも大きくなる場合を例示して説明したが、下側部６１１と上側部６１２とで通孔６１ｅの間隔が同じ（Ｗａ＝Ｗｂ）になるように構成してもよく、または、下側部６１１の通孔６１ｅの間隔Ｗａが、上側部６１２の通孔６１ｅの間隔Ｗｂよりも小さく（Ｗａ＜Ｗｂ）なるように構成してもよい。
このようにしても、上記した実施の形態と同じ効果を奏し得る。
【００７１】
また、実施の形態では、オープンショーケース１の各々の開口部５を、１つのカバー装置６のカーテン６１で覆う場合を例示して説明したが、各々の開口部５を、複数のカバー装置で覆う構成としてもよい。
例えば、開口部５を、開口部５の幅方向で隣接して配置された２つのカバー装置のカーテンで覆う場合、各々のカバー装置のカーテンは、側方から見て隣接するカーテン側の辺が開口の高さ方向に垂直に形成された台形形状となる。また、開口部５を、開口部５の幅方向で隣接して配置された３つのカバー装置のカーテンで覆う場合、側面から見て両側のカバー装置のカーテンは、隣接するカーテン側の辺が開口の高さ方向に垂直に形成された台形形状となり、真ん中のカバー装置のカーテンは、矩形形状となる。
このようにすると、オープンショーケース１の開口部５の幅が広い場合でも、開口部５の幅に適した形状のカーテンを有するカバー装置を組み合わせて、開口部５の全面を効率的に覆うことができる。
【００７２】
本考案は上記した実施形態に限定されるものではなく、その技術的思想の範囲内でなしうるさまざまな変更、改良が含まれる。
【符号の説明】
【００７３】
１      オープンショーケース
２      収容庫
３      陳列部
４      天板部
５      開口部
６      カバー装置
８      係止具
９ａ、９ｂ    芯板
１０ａ、１０ｂ  カーテンエッジ
２１    載置面
２２    周壁
２３    冷気吸引部
３１    支柱
３２    陳列棚
４１    天板部
４２    下面
４３    側面
４４    吹出穴
４５    フック部
６１    カーテン
１００  ＰＯＰスタンド
１０２  固定部材
１０２ａ  取付部
１０２ｂ  連結部
１０２ｃ  屈曲部
１０２ｄ  収容部
１０２ｅ  長穴
１０３  固定板
１１０  ネジ
１２０  スイングライナー
１２１  ＰＯＰ差込部
１２１ａ  平面部
１２１ｂ  間隙
１２２  クリップ部
１２２ａ  クリップ片
２２１  周壁部
２３１  吸引パネル
２３１ａ  吸引口
６１１  下側部
６１２  上側部
Ｂ      超低頭ボルト
【図１】
0003196859.tif 000003
【図２】
0003196859.tif 000004
【図３】
0003196859.tif 000005
【図４】
0003196859.tif 000006
【図５】
0003196859.tif 000007
【手続補正書】
【提出日】平成27年2月10日(2015.2.10)
【手続補正１】
【補正対象書類名】実用新案登録請求の範囲
【補正対象項目名】請求項３
【補正方法】変更
【補正の内容】
【請求項３】
前記開口部の下方には、前記収容箱の内周の周方向に沿って、冷気を吸引するための冷気吸引部が設けられており、
前記カーテンは、前記冷気吸引部に固定されていることを特徴とする請求項１または請求項２に記載のオープンショーケース用のカバー装置。